(57)【特許請求の範囲】
【請求項１】
食器を収容する洗浄室と、
前記洗浄室内に収容した食器の洗浄又は濯ぎを行うための洗浄水又は濯ぎ水を貯えるタンクと、
前記タンク内の洗浄水又は濯ぎ水を前記洗浄室内に配設されたノズルへ圧送する供給ポンプと、
前記タンク内に洗浄水又は濯ぎ水を供給する給水手段と、
前記タンク内の水位が基準水位に達したことを検出する基準水位用スイッチと、
前記タンク内の水位が前記基準水位よりも高い位置にある溢水水位に達したことを検出する溢水水位用スイッチと、
を備えた食器洗浄機において、
前記洗浄水又は濯ぎ水の水位が前記基準水位に達していない状態で得られる前記両スイッチの検出状態を判定する第１判定手段と、
前記給水手段による給水後に得られる前記両スイッチの検出状態を判定する第２判定手段と、
前記第１判定手段及び前記第２判定手段の判定結果に基づいて、前記タンク内の洗浄水又は濯ぎ水の水位を制御する制御手段と、
を設けたことを特徴とする食器洗浄機。
【請求項２】
前記第１判定手段による判定は、前記供給ポンプが作動して濯ぎ水を貯える前記タンクから濯ぎ水が前記ノズルに圧送された後に行われ、
前記第２判定手段による判定は、前記第１判定手段により判定されてから前記給水手段により前記タンクに濯ぎ水が給水された後に行われることを特徴とする請求項１に記載の食器洗浄機。
【請求項３】
洗浄水を貯える前記タンク内の洗浄水を排出する排水ポンプをさらに備え、
前記第１判定手段による判定は、前記排水ポンプが作動して前記タンク内から洗浄水が排水された後に行われ、
前記第２判定手段による判定は、前記第１判定手段により判定されてから前記給水手段により前記タンクに洗浄水が給水された後に行われることを特徴とする請求項１に記載の食器洗浄機。
【請求項４】
前記制御手段は、
前記第１判定手段において、前記基準水位用スイッチにより水位が基準水位に達していないことが判定されると共に、前記溢水水位用スイッチにより水位が溢水水位に達していないことが判定され、且つ、前記第２判定手段において、前記基準水位用スイッチにより水位が基準水位に達していないことが判定されると共に、前記溢水水位用スイッチにより水位が溢水水位に達していることが判定された場合、
又は、
前記第１判定手段において、前記基準水位用スイッチにより水位が基準水位に達していることが判定されると共に、前記溢水水位用スイッチによる水位が溢水水位に達していないことが判定された場合には、
前記第２判定手段における前記溢水水位用スイッチの検出状態に基づいて洗浄水又は濯ぎ水の水位を制御するようにしたことを特徴とする請求項１又は２に記載の食器洗浄機。
【請求項５】
前記制御手段は、
前記第１判定手段において、前記基準水位用スイッチにより水位が基準水位に達していることが判定されると共に、前記溢水水位用スイッチにより水位が溢水水位に達していることが判定された場合には、
前記第２判定手段の判定結果にかかわらず異常報知を行うことを特徴とする請求項１又は２に記載の食器洗浄機。
【請求項６】
前記制御手段は、
前記第１判定手段において、前記基準水位用スイッチにより水位が基準水位に達していないことが判定されると共に、前記溢水水位用スイッチにより水位が溢水水位に達していないことが判定され、且つ、前記第２判定手段において、前記基準水位用スイッチによる水位が基準水位に達していないことが判定されると共に、前記溢水水位用スイッチにより水位が溢水水位に達していることが判定された場合には、第１の異常報知を行い、
前記第１判定手段において、前記基準水位用スイッチにより水位が基準水位に達していないことが判定されると共に、前記溢水水位用スイッチにより水位が溢水水位に達していないことが判定され、且つ、前記第２判定手段において、前記基準水位用スイッチにより水位が基準水位に達していることが判定されると共に、前記溢水水位用スイッチにより水位が溢水水位に達していることが判定された場合には、第２の異常報知を行うことを特徴とする請求項１又は２に記載の食器洗浄機。
【請求項７】
前記制御手段は、
前記溢水水位用スイッチにより水位が溢水水位に達していることが検出された場合に異常報知を行う異常報知手段を備えており、
前記第２判定手段における前記溢水水位用スイッチの検出状態に基づいて洗浄水又は濯ぎ水の水位を制御するようにした場合には、前記異常報知を禁止するようにしたことを特徴とする請求項４に記載の食器洗浄機。
【請求項８】
食器を収容する洗浄室と、
前記洗浄室内に収容した食器の洗浄又は濯ぎを行うための洗浄水又は濯ぎ水を貯えるタンクと、
前記タンク内の洗浄水又は濯ぎ水を前記洗浄室内に配設されたノズルへ圧送する供給ポンプと、
前記タンク内に洗浄水又は濯ぎ水を供給する給水手段と、
前記タンク内の水位が基準水位に達したことを検出する基準水位用スイッチと、
前記タンク内の水位が前記基準水位よりも高い位置にある溢水水位に達したことを検出する溢水水位用スイッチと、
を備えた食器洗浄機において、
前記タンク内の洗浄水又は濯ぎ水の水位が前記基準水位に達していない状態から前記給水手段による給水を行ったときに、
前記基準水位用スイッチにより水位が基準水位に達していないことが判定されると共に、前記溢水水位用スイッチにより水位が溢水水位に達していることが判定された場合には第１の異常報知を行い、
前記基準水位用スイッチにより水位が基準水位に達していることが判定されると共に、前記溢水水位用スイッチにより水位が溢水水位に達していることが判定された場合には第２の異常報知を行うことを特徴とする食器洗浄機。
【発明の詳細な説明】
【技術分野】
【０００１】
本発明は、タンクに貯留された水の水位を判定する水位判定機能を備えた食器洗浄機に係り、特に、洗浄水又は濯ぎ水の水位を判定する食器洗浄機に関する。
【背景技術】
【０００２】
食器洗浄機には、タンクに貯留される洗浄水又は濯ぎ水の水位を調節するために、水位を検出するセンサである水位検出スイッチが設けられている。このような水位検出スイッチが設けられた食器洗浄機の一例が、特許文献１に提示されている。特許文献１では、食器洗浄機の洗浄水タンクに基準水位用スイッチ及び溢水水位用スイッチが設けられており、洗浄水タンク内の洗浄水が溢水水位以上になると排水ポンプを作動させてタンク内の洗浄水を食器洗浄機外に排出し、食器洗浄機外への洗浄水の溢水を防止している。
【特許文献１】特開平５−２２００８３号公報
【発明の開示】
【発明が解決しようとする課題】
【０００３】
上述した水位検出スイッチに異常が発生した場合には、食器洗浄機は通常の制御を実行できなくなる場合がある。即ち、食器洗浄機では、水位検出スイッチにより検出された水位に応じて、タンクへの給水、タンクからの排水、タンクに貯留された水の保温などの制御を実行するが、これらの洗浄水又は濯ぎ水に関する制御を適切に実行できなくなる、という問題がある。
【０００４】
本発明は、上述した課題を鑑みてなされたものであり、水位検出スイッチに異常が生じた場合でも、適切に制御を実行することが可能な食器洗浄機を提供することを目的とする。
【課題を解決するための手段】
【０００５】
上述した目的を達成するために、本発明に係る食器洗浄機は、食器を収容する洗浄室と、洗浄室内に収容した食器の洗浄又は濯ぎを行うための洗浄水又は濯ぎ水を貯えるタンクと、タンク内の洗浄水又は濯ぎ水を洗浄室内に配設されたノズルへ圧送する供給ポンプと、タンク内に洗浄水又は濯ぎ水を供給する給水手段と、タンク内の水位が基準水位に達したことを検出する基準水位用スイッチと、タンク内の水位が基準水位よりも高い位置にある溢水水位に達したことを検出する溢水水位用スイッチと、を備えた食器洗浄機において、洗浄水又は濯ぎ水の水位が基準水位に達していない状態で得られる両スイッチの検出状態を判定する第１判定手段と、給水手段による給水後に得られる両スイッチの検出状態を判定する第２判定手段と、第１判定手段及び第２判定手段の判定結果に基づいて、タンク内の洗浄水又は濯ぎ水の水位を制御する制御手段と、を設けたことを特徴とする。
【０００６】
上述した食器洗浄機によれば、基準水位用スイッチが正常であれば、洗浄水又は濯ぎ水の水位が基準水位に達しない状態では、基準水位用スイッチにより水位が基準水位に達していないことが検出される。このため、洗浄水又は濯ぎ水の水位が基準水位に達しない状態で、基準水位用スイッチにより水位が基準水位に達していることが検出された場合には、基準水位用スイッチに異常があることがわかる。同様に、溢水水位用スイッチが正常であれば、洗浄水又は濯ぎ水の水位が溢水水位に達しない状態では、溢水水位用スイッチにより水位が溢水水位に達していないことが検出される。このため、洗浄水又は濯ぎ水の水位が溢水水位に達しない状態で、溢水水位用スイッチにより水位が溢水水位に達していることが検出された場合には、溢水水位用スイッチに異常があることがわかる。よって、上述した食器洗浄機によれば、第１判定手段が洗浄水又は濯ぎ水の水位が基準水位に達していない状態で得られる両スイッチの検出状態を判定することで、基準水位用スイッチ及び溢水水位用スイッチの異常の有無を把握することができ、その異常状態に応じた制御を行うことができる。
【０００７】
また、上述した食器洗浄機において、第１判定手段による判定は、供給ポンプが作動して濯ぎ水を貯えるタンクから濯ぎ水がノズルに圧送された後に行われ、第２判定手段による判定は、第１判定手段により判定されてから給水手段によりタンクに濯ぎ水が給水された後に行われることが好ましい。この構成によれば、供給ポンプが作動して濯ぎ水を貯えるタンクから濯ぎ水がノズルに圧送されて、濯ぎ水の水位が基準水位に達していない状態となった後に、第１判定手段が両スイッチの検出状態を判定するため、基準水位用スイッチ及び溢水水位用スイッチの異常の有無を把握することができる。また、第１判定手段により判定されてから給水手段によりタンクに濯ぎ水が給水された後に第２判定手段が両スイッチの検出状態を判定するため、その異常状態に応じた制御を行うことができる。ここで、供給ポンプが作動する度に両スイッチの異常が判定されるため、異常情報が洗浄サイクルごとに最新のものに更新されるので、一時的なスイッチの異常が起こって異常状態に応じた制御を行っても、スイッチの正常化に伴い直ぐに正常な制御に戻すことができる。
【０００８】
また、上述した食器洗浄機において、洗浄水を貯えるタンク内の洗浄水を排出する排水ポンプをさらに備え、第１判定手段による判定は、排水ポンプが作動してタンク内から洗浄水が排水された後に行われ、第２判定手段による判定は、第１判定手段により判定されてから給水手段によりタンクに洗浄水が給水された後に行われることが好ましい。この構成によれば、洗浄水を貯えるタンク内の洗浄水が排水されて、洗浄水の水位が基準水位に達していない状態となった後に、第１判定手段が両スイッチの検出状態を判定するため、基準水位用スイッチ及び溢水水位用スイッチの異常の有無を把握することができる。また、第１判定手段により判定されてから給水手段によりタンクに洗浄水が給水された後に第２判定手段が両スイッチの検出状態を判定するため、その異常状態に応じた制御を行うことができる。ここで、洗浄水が排水される度に両スイッチの異常が判定されるため、異常情報が洗浄サイクルごとに最新のものに更新されるので、一時的なスイッチの異常が起こって異常状態に応じた制御を行っても、スイッチの正常化に伴い直ぐに正常な制御に戻すことができる。
【０００９】
また、上述した食器洗浄機において、制御手段は、第１判定手段において、基準水位用スイッチにより水位が基準水位に達していないことが判定されると共に、溢水水位用スイッチにより水位が溢水水位に達していないことが判定され、且つ、第２判定手段において、基準水位用スイッチにより水位が基準水位に達していないことが判定されると共に、溢水水位用スイッチにより水位が溢水水位に達していることが判定された場合、又は、第１判定手段において基準水位用スイッチにより水位が基準水位に達していることが判定されると共に、溢水水位用スイッチによる水位が溢水水位に達していないことが判定された場合には、第２判定手段における溢水水位用スイッチの検出状態に基づいて洗浄水又は濯ぎ水の水位を制御するようにしたことが好ましい。
【００１０】
第１判定手段において、基準水位用スイッチにより水位が基準水位に達していないことが判定されると共に、溢水水位用スイッチにより水位が溢水水位に達していないことが判定され、且つ、第２判定手段において、基準水位用スイッチにより水位が基準水位に達していないことが判定されると共に、溢水水位用スイッチにより水位が溢水水位に達していることが判定された場合には、基準水位用スイッチに異常が生じている。また、第１判定手段において、基準水位用スイッチにより水位が基準水位に達していることが判定されると共に、溢水水位用スイッチによる水位が溢水水位に達していないことが判定された場合にも、基準水位用スイッチに異常が生じている。そこで、上述した構成によれば、このように基準水位用スイッチに異常が生じている場合に、第２判定手段における溢水水位用スイッチの検出状態に基づいて洗浄水又は濯ぎ水の水位を制御するため、基準水位用スイッチに異常が生じても食器洗浄機を使用し続けることができる。
【００１１】
また、上述した食器洗浄機において、制御手段は、第１判定手段において、基準水位用スイッチにより水位が基準水位に達していることが判定されると共に、溢水水位用スイッチにより水位が溢水水位に達していることが判定された場合には、第２判定手段の判定結果にかかわらず異常報知を行うことが好ましい。第１判定手段において基準水位用スイッチにより水位が基準水位に達していることが判定されると共に、溢水水位用スイッチにより水位が溢水水位に達していることが判定された場合には、両スイッチが共に異常であり、制御手段は洗浄水又は濯ぎ水の水位を適切に調節することができない。そこで、上述した構成によれば、制御手段は、第２判定手段の判定結果にかかわらず異常報知を行うことで、両スイッチの異常を知らせることができる。
【００１２】
また、上述した食器洗浄機において、制御手段は、第１判定手段において、基準水位用スイッチにより水位が基準水位に達していないことが判定されると共に、溢水水位用スイッチにより水位が溢水水位に達していないことが判定され、且つ、第２判定手段において、基準水位用スイッチによる水位が基準水位に達していないことが判定されると共に、溢水水位用スイッチにより水位が溢水水位に達していることが判定された場合には、第１の異常報知を行い、第１判定手段において、基準水位用スイッチにより水位が基準水位に達していないことが判定されると共に、溢水水位用スイッチにより水位が溢水水位に達していないことが判定され、且つ、第２判定手段において、基準水位用スイッチにより水位が基準水位に達していることが判定されると共に、溢水水位用スイッチにより水位が溢水水位に達していることが判定された場合には、第２の異常報知を行うことが好ましい。
【００１３】
第１判定手段において、基準水位用スイッチにより水位が基準水位に達していないことが判定されると共に、溢水水位用スイッチにより水位が溢水水位に達していないことが判定され、且つ、第２判定手段において、基準水位用スイッチによる水位が基準水位に達していないことが判定されると共に、溢水水位用スイッチにより水位が溢水水位に達していることが判定された場合には、基準水位用スイッチに異常があることがわかる。そこで、上述した構成によれば、制御手段は、基準水位用スイッチの異常を知らせるための第１の異常報知を行う。一方、第１判定手段において、基準水位用スイッチにより水位が基準水位に達していないことが判定されると共に、溢水水位用スイッチにより水位が溢水水位に達していないことが判定され、且つ、第２判定手段において基準水位用スイッチにより水位が基準水位に達していることが判定されると共に、溢水水位用スイッチにより水位が溢水水位に達していることが判定された場合には、給水機器に異常があることがわかる。そこで、上述した構成によれば、制御手段は、給水機器の異常を知らせるための第２の異常報知を行う。このように異常個所に応じて異なる異常報知処理を行うことにより、異常個所を知らせることができる。
【００１４】
また、上述した食器洗浄機において、制御手段は、溢水水位用スイッチにより水位が溢水水位に達していることが検出された場合に異常報知を行う異常報知手段を備えており、第２判定手段における溢水水位用スイッチの検出状態に基づいて洗浄水又は濯ぎ水の水位を制御するようにした場合には、異常報知を禁止することが好ましい。第２判定手段における溢水水位用スイッチの検出状態に基づいて洗浄水又は濯ぎ水の水位を制御するようにした場合には、水位が基準水位に達しても給水が停止されないため、水位は溢水水位に頻繁に達することとなる。そこで、上述した構成によれば、溢水報知処理を禁止することにより、溢水報知処理が頻繁に行われてしまうことを防止することができる。
【００１５】
上述した目的を達成するために、本発明に係る食器洗浄機は、食器を収容する洗浄室と、洗浄室内に収容した食器の洗浄又は濯ぎを行うための洗浄水又は濯ぎ水を貯えるタンクと、タンク内の洗浄水又は濯ぎ水を洗浄室内に配設されたノズルへ圧送する供給ポンプと、タンク内に洗浄水又は濯ぎ水を供給する給水手段と、タンク内の水位が基準水位に達したことを検出する基準水位用スイッチと、タンク内の水位が基準水位よりも高い位置にある溢水水位に達したことを検出する溢水水位用スイッチと、を備えた食器洗浄機において、タンク内の洗浄水又は濯ぎ水の水位が基準水位に達していない状態から給水手段による給水を行ったときに、基準水位用スイッチにより水位が基準水位に達していないことが判定されると共に、溢水水位用スイッチにより水位が溢水水位に達していることが判定された場合には第１の異常報知を行い、基準水位用スイッチにより水位が基準水位に達していることが判定されると共に、溢水水位用スイッチにより水位が溢水水位に達していることが判定された場合には第２の異常報知を行うことを特徴とする。
【００１６】
上述した食器洗浄機によれば、タンク内へ給水手段により給水を行った状態において、基準水位用スイッチにより水位が基準水位に達していないことが判定されると共に溢水水位用スイッチにより水位が溢水水位に達していることが判定された場合と、基準水位用スイッチにより水位が基準水位に達していることが判定されると共に溢水水位用スイッチにより水位が溢水水位に達していることが判定された場合とで、異なる異常報知を行うため、食器洗浄機の使用者は異常個所を判別することができる。
【発明の効果】
【００１７】
本発明に係る食器洗浄機によれば、基準水位用スイッチ又は溢水水位用スイッチに異常が生じた場合でも洗浄水又は濯ぎ水の水位を判定し、適切に制御を実行することができる。
【発明を実施するための最良の形態】
【００１８】
以下、図面を参照して、本発明に実施形態に係る食器洗浄機について説明する。
【００１９】
図１に示すように、食器洗浄機１は、上下に仕切られたステンレス製の本体ケース２を有している。この本体ケース２の下部には機械室３が形成され、この機械室３内には、食器洗浄機１の動作全般を制御するマイクロコンピュータ（処理部）６０が内蔵された電装ボックス６等が収容されている。一方、本体ケース２の上部には、洗浄室７が形成されると共に、この洗浄室７の開閉を行うために上下動するドア（図示せず）が取り付けられている。
【００２０】
この洗浄室７内には、ラックレール(図示せず)が着脱自在に配置されており、このラックレール上に、飲食後の皿や茶碗等の食器Ｐが並べられた格子状の食器ラック８が載置される。さらに、洗浄室７の上部には、放射状に延びる３本のアームからなる上側洗浄ノズル９と、一直線状に延びる上側濯ぎノズル１１とが同一軸線上において回転自在に配置されている。同様に、洗浄室７の下部には、放射状に延びる３本のアームからなる下側洗浄ノズル１２と、一直線状に延びる下側濯ぎノズル１３とが同一軸線上において回転自在に配置されている。したがって、食器ラック８に並べられた食器Ｐには、洗浄ノズル９，１２によって上下から洗浄水が噴射され、また、濯ぎノズル１１，１３によって上下から濯ぎ水が噴射されるため、食器Ｐの洗浄及び濯ぎが効率良く行われる。
【００２１】
このように構成された洗浄室７の底面７ａには、第１のフィルタ１４が着脱自在に配置されており、この第１のフィルタ１４の下方には、洗浄水を貯留するための洗浄水タンク１５が形成されている。さらに、洗浄水タンク１５の底面１５ａには、第１のフィルタ１４より目の細かい第２のフィルタ１８が着脱自在に配置されており、この第２のフィルタ１８の下方には、底面１５ａの一部が落ち込むようにして落込部１９が形成されている。この落込部１９には、温水である洗浄水を所定温度に維持するための洗浄水ヒータ１６と、この洗浄水の温度を検知するための洗浄水温センサであるサーミスタ１７とが設置されている。この落込部１９の底面１９ａには排水管２０が接続されており、この排水管２０には、第２のフィルタ１８の筒状部１８ａを貫通して上端部が洗浄水タンク１５内に位置するオーバーフロー管２１の下端部が嵌め込まれている。したがって、余剰な洗浄水は、オーバーフロー管２１の上端部に形成された流入孔から管内に流れ込み、排水管２０を介して外部に排出されるため、洗浄水タンク１５内の洗浄水が一定水位に保たれる。
【００２２】
この洗浄水タンク１５の落込部１９には、洗浄水吸込管２２を介して洗浄水供給ポンプ２３が接続されている。この洗浄水供給ポンプ２３の吐出口には洗浄水吐出管２４が接続され、この洗浄水吐出管２４は、第１の洗浄水吐出管２５と第２の洗浄水吐出管２６とに分岐して、第１の洗浄水吐出管２５は上側洗浄ノズル９に接続され、第２の洗浄水吐出管２６は下側洗浄ノズル１２に接続されている。
【００２３】
また、機械室３内には、外部の給湯器（図示せず）から給湯管２７を介して濯ぎ水が供給される濯ぎ水タンク２８が配置されている。この濯ぎ水タンク２８には、温水である濯ぎ水を所定温度に維持するための濯ぎ水ヒータ２９と、この濯ぎ水の温度を検知するための濯ぎ水温センサであるサーミスタ３１とが設置されている。さらに、濯ぎ水タンク２８内には、余剰な濯ぎ水を外部に排出して一定水位に保つためのオーバーフロー管３２が設置されており、その上端部から管内に流入した濯ぎ水は、排水管２０を介して外部に排出される。
【００２４】
また、濯ぎ水タンク２８には、濯ぎ水の水位を検出するための基準水位用フロートスイッチ５０及び溢水水位用フロートスイッチ５１が設置されている。基準水位用フロートスイッチ５０は、給水手段である給水バルブ５２の開放により濯ぎ水タンク２８内に供給される濯ぎ水の水面が濯ぎ等に必要な高さである基準水位に達したことを検出するもので、同水面の高さが基準水位より高ければオンとなり、かつ同水面の高さが基準水位より低ければオフになるものである。また、溢水水位用フロートスイッチ５１は、基準水位より高く、濯ぎ水タンク２８内の濯ぎ水がオーバーフロー管３２によって機外に溢れ出る直前の水面の高さを規定する溢水水位を検出するもので、同水面の高さが溢水水位より高ければオンになり、かつ同水面の高さが溢水水位より低ければオフになるものである。なお、各フロートスイッチ５０，５１は、上下に延びるシャフトに沿って浮き子が昇降自在に構成されており、濯ぎ水の水面が上下するとそれに伴って浮き子が昇降する。稀ではあるが、各フロートスイッチ５０，５１は、浮き子がシャフトに引っ掛かって上昇又は下降しなくなる異常が生じる場合がある。
【００２５】
この濯ぎ水タンク２８には、濯ぎ水吸込管３３を介して濯ぎ水供給ポンプ３４が接続されている。この濯ぎ水供給ポンプ３４の吐出口には濯ぎ水吐出管３６が接続され、この濯ぎ水吐出管３６は、第１の濯ぎ水吐出管３７と第２の濯ぎ水吐出管３８とに分岐して、第１の濯ぎ水吐出管３７は上側濯ぎノズル１１に接続され、第２の濯ぎ水吐出管３８は下側濯ぎノズル１３に接続されている。後述するように、濯ぎ水供給ポンプ３４は、濯ぎ水タンク２８から濯ぎ水を排出するための排水手段であると共に、洗浄水タンク１５に洗浄水を供給するための給水手段となっている。
【００２６】
さらに、機械室３内には、洗浄水タンク１５内の洗浄水に混入させるための液状又は粉状の洗剤Ｗを貯留した洗剤タンク３９が配置されている。この洗剤タンク３９には、洗剤吸込管４１を介して洗剤供給ポンプ４２が接続されている。この洗剤供給ポンプ４２の吐出口には洗剤吐出管４３の一端が接続されており、この洗剤吐出管４３の他端４３ａは、洗浄室７内に位置して下方に向かって開口している。
【００２７】
ここで、上述した食器洗浄機１の動作について説明する。運転開始ボタンがＯＮされると、マイクロコンピュータ（以下「マイコン」という）６０から洗浄開始信号が送出されて洗浄水供給ポンプ２３が始動する。これにより、洗浄水タンク１５内に貯留された洗浄水は、洗浄水吐出管２４等を介して上下の洗浄ノズル９，１２に圧送されて、各洗浄ノズル９，１２から食器Ｐに向けて噴射される。このとき、各洗浄ノズル９，１２は噴射力の反力によって回転し続けるため、洗浄水が食器Ｐに満遍なく当てられて、食器Ｐの汚れが効率良く洗い落とされる。
【００２８】
この食器Ｐに噴射された洗浄水は、食器Ｐから洗い落とされた残菜などの汚損物が第１のフィルタ１４によって取り除かれつつ洗浄水タンク１５内に回収される。さらに、第２のフィルタ１８によって細かい汚損物が取り除かれた後、洗浄水供給ポンプ２３により再び洗浄室７内に循環供給される。
【００２９】
このような洗浄工程が所定時間行われると、マイコン６０から洗浄終了信号が送出されて洗浄水供給ポンプ２３が停止し、マイコン６０から濯ぎ開始信号が送出されて濯ぎ水供給ポンプ３４が始動する。これにより、濯ぎ水タンク２８内に貯留された濯ぎ水は、濯ぎ水吐出管３６等を介して上下の濯ぎノズル１１，１３に圧送されて、各濯ぎノズル１１，１３から食器Ｐに向けて噴射される。このとき、各濯ぎノズル１１，１３もまた、噴射力の反力によって回転し続けるため、濯ぎ水が食器Ｐに満遍なく当てられて、食器Ｐの濯ぎが効率良く行われる。
【００３０】
この食器Ｐに噴射された濯ぎ水は、第１のフィルタ１４を介して洗浄水タンク１５内に回収される。これに伴って、回収された濯ぎ水と同量の洗浄水が、オーバーフロー管２１から排水管２０を介して外部に排出される。洗浄水タンク１５内に回収された濯ぎ水は、洗浄水と混ざり合い、次回の洗浄工程における洗浄水として使用される。このような濯ぎ工程が所定時間行われると、マイコン６０から濯ぎ終了信号が送出されて濯ぎ水供給ポンプ３４が停止し、食器洗浄機１の１サイクルの動作が完了する。なお、本実施形態では、上述したように、洗浄水タンク１５に濯ぎ水を回収することで、洗浄水タンク１５に給水し、洗浄水の一部を入れ替えるようにしているが、他の実施形態では、給水配管から洗浄水タンク１５に直接に給水し、洗浄水の一部を入れ替えるようにしてもよい。
【００３１】
上述した洗浄工程中には、洗剤タンク３９内に貯留された洗剤Ｗが洗剤供給ポンプ４２により洗剤吐出管４３内を圧送されて、洗剤吐出管４３の他端４３ａから洗浄室７内に滴下される。この滴下された洗剤Ｗは、濯ぎ水と混ざり合って洗浄水タンク１５内に流入することになる。このようにして洗浄水タンク１５内に新たな洗剤Ｗを供給するのは、洗浄水タンク１５内への濯ぎ水の流入によって洗浄水中の洗剤濃度が低下してしまうのを防止するためである。
【００３２】
図２には、食器洗浄機１において濯ぎ水タンク２８に関する制御を行うための各機器が示されている。マイコン６０は、濯ぎ水タンク２８内における濯ぎ水の水位を判定する水位判定機能６１を有している。また、マイコン６０は、濯ぎ水に関する制御を行う制御手段として、濯ぎ水の水位を適度に調節する水位調節機能６２と、濯ぎ水の温度を適度に調節する水温調節機能６３と、濯ぎ水が濯ぎ水タンク２８から溢れることを報知すると共に、食器洗浄機１に異常が発生したことを報知する溢水・異常報知機能６４とを有している。マイコン６０のこれらの機能は、マイコン６０がプログラムを実行することにより実現される。マイコン６０の各機能６１〜６４による通常の処理について、より詳しく説明する。
【００３３】
マイコン６０の水位判定機能６１は、基準水位用フロートスイッチ５０及び溢水水位用フロートスイッチ５１の検出結果を取り込んで、濯ぎ水の水位を判定する水位判定処理を行う。水位判定機能６１は、濯ぎ水の水位が基準水位に達していない状態で得られる両フロートスイッチ５０，５１の検出状態を判定する第１判定機能６１ａと、給水バルブ５２の開放により給水された後に得られる両フロートスイッチ５０，５１の検出状態を判定する第２判定機能６１ｂと、を有している。水位判定機能６１は、第１判定機能６１ａにより判定された両フロートスイッチ５０，５１の検出状態に基づいて、両フロートスイッチ５０，５１の異常の有無を判定する。そして、両フロートスイッチ５０，５１に異常の有無に応じて、水位判定機能６１は、第２判定機能６１ｂにより判定された両フロートスイッチ５０，５１の検出状態に基づいた水位判定処理を行う。両フロートスイッチ５０，５１に異常がない場合の通常の水位判定処理においては、水位判定機能６１は、基準水位用フロートスイッチ５０がオフである場合には、濯ぎ水が基準水位を下回っていることを判定し、基準水位用フロートスイッチ５０がオンである場合には、濯ぎ水が基準水位を上回っていることを判定する。一方、水位判定機能６１は、溢水水位用フロートスイッチ５１がオフである場合には、濯ぎ水が溢水水位を下回っていることを判定し、溢水水位用フロートスイッチ５１がオンである場合には、濯ぎ水が溢水水位を上回っていることを判定する。なお、フロートスイッチ５０，５１に異常がある場合には、水位判定機能６１は、第２判定機能６１ｂにより判定された両フロートスイッチ５０，５１の検出結果から、水位制御用の擬似的な検出結果を導く。この擬似的な検出結果の導出については後述する。
【００３４】
マイコン６０の水位調節機能６２は、基準水位用フロートスイッチ５０及び溢水水位用フロートスイッチ５１の検出結果を取り込んで、これらのフロートスイッチ５０，５１の検出結果に基づいて濯ぎ水の水位調節処理を行う。即ち、マイコン６０の水位調節機能６２は、基準水位用フロートスイッチ５０がオフである場合には、濯ぎ水が基準水位を下回っているため、給水バルブ５２を開放して濯ぎ水タンク２８に濯ぎ水を供給する。その後、基準水位用フロートスイッチ５０がオンに変化した場合には、濯ぎ水が基準水位を上回っているため、給水バルブ５２を閉鎖して濯ぎ水の供給を停止する。さらに、濯ぎ水の溢水を確実に防止するために、マイコン６０の水位調節機能６２は、溢水水位用フロートスイッチ５１がオフからオンに変化した場合には、濯ぎ水が溢水水位を上回っているため、給水バルブ５２を閉鎖して濯ぎ水の供給を停止する。
【００３５】
マイコン６０の水温調節機能６３は、基準水位用フロートスイッチ５０及び溢水水位用フロートスイッチ５１の検出結果を取り込んで、これらのフロートスイッチ５０，５１の検出結果に基づいて濯ぎ水の水温調節処理を行う。即ち、マイコン６０の水温調節機能６３は、サーミスタ３１の検出出力を取り込んで、サーミスタ３１により検出された温度が設定温度よりも低く、さらに基準水位用フロートスイッチ５０がオンである場合には、濯ぎ水ヒータ２９に通電して濯ぎ水を加熱する。そして、マイコン６０の水温調節機能６３は、サーミスタ３１により検出された温度が設定温度に達した場合には、濯ぎ水ヒータ２９への通電を停止する。なお、マイコン６０の水温調節機能６３は、基準水位用フロートスイッチ５０がオフである場合には、濯ぎ水が基準水位を下回っているため、濯ぎ水ヒータ２９への通電を停止する。これにより、濯ぎ水が不足した状態で空焚きされることを防止することができる。
【００３６】
マイコン６０の溢水・異常報知機能６４は、基準水位用フロートスイッチ５０及び溢水水位用フロートスイッチ５１の検出結果を取り込んで、これらのフロートスイッチ５０，５１の検出結果に基づいて溢水・異常報知処理を行う。即ち、マイコン６０の溢水・異常報知機能６４は、溢水水位用フロートスイッチ５１の検出結果がオフからオンに変化した場合には、濯ぎ水が溢水水位を上回っているため、ブザー５５を鳴音させることで、濯ぎ水が機外に溢れることをユーザに報知する。また、マイコン６０の溢水・異常報知機能６４は、食器洗浄機１のいずれかの箇所に異常が認められる場合には、ブザー５５を鳴音させたり表示器５６にエラーコードを表示させて、食器洗浄機１の異常をユーザに報知する。
【００３７】
特に、本実施形態において、マイコン６０の溢水・異常報知機能６４は、給水バルブ５２が開けられて濯ぎ水タンク２８に給水が行われている状態で、両フロートスイッチ５０，５１のオフが所定時間を超えて継続した場合には、食器洗浄機１に異常が発生したことを判定してブザー５５を鳴音させると共に、食器洗浄機１の動作を停止するように設定されている。給水バルブ５２が開けられてから所定時間が経過すれば、濯ぎ水タンク２８に貯留される濯ぎ水は基準水位を確実に上回るはずであるが、濯ぎ水が基準水位を上回らないことは、基準水位用フロートスイッチ５０、給水バルブ５２などの給水系部品に異常が発生していることが推測されるからである。
【００３８】
次に、両フロートスイッチ５０，５１の異常を考慮したマイコン６０による処理について詳しく説明する。図３には、マイコン６０による処理のフローチャートが示されている。
【００３９】
濯ぎ工程において、濯ぎ水タンク２８内の濯ぎ水の水位が基準水位を満たしている状態から、給水バルブ５２を閉じて濯ぎ水タンク２８への濯ぎ水の供給を停止すると共に、濯ぎ水供給ポンプ３４を所定時間以上に渡って駆動すると、濯ぎ水の水位は基準水位よりも確実に低くなる（Ｓ３０１）。マイコン６０は、このように濯ぎ水の水位が基準水位よりも低くなったタイミングで、基準水位用フロートスイッチ５０及び溢水水位用フロートスイッチ５１の検出結果を取り込む（Ｓ３０２）。ここでは、濯ぎ水の水位が基準水位よりも低くなっているのであるから、両フロートスイッチ５０，５１の検出結果は共にオフとなることが予想される。マイコン６０は、このような予想に基づいて、両フロートスイッチ５０，５１の正常／異常を判定する（Ｓ３０３）。即ち、濯ぎ水の水位が基準水位よりも低くなっているのにも拘らず、基準水位用フロートスイッチ５０又は溢水水位用フロートスイッチ５１の検出結果がオンである場合には、そのフロートスイッチ５０，５１がオンからオフに変化しない異常があることを判定する。
【００４０】
より詳しく説明すると、マイコン６０は、下の表１のテーブルに従って、両フロートスイッチ５０，５１が状態Ｉ、状態ＩＩ、状態ＩＩＩ又は状態ＩＶのいずれにあるかを判定する。濯ぎ水供給ポンプ３４が所定時間以上に渡って駆動された直後に、基準水位用フロートスイッチ５０及び溢水水位用フロートスイッチ５１が共にオフである場合には、マイコン６０は、両フロートスイッチ５０，５１が正常であり、「状態Ｉ」であることを判定する。また、基準水位用フロートスイッチ５０がオンであり、溢水水位用フロートスイッチ５１がオフである場合には、マイコン６０は、基準水位用フロートスイッチ５０が異常であると共に溢水水位用フロートスイッチ５１が正常であり、「状態ＩＩ」であることを判定する。また、基準水位用フロートスイッチ５０がオフであり、溢水水位用フロートスイッチ５１がオンである場合には、マイコン６０は、基準水位用フロートスイッチ５０が正常であると共に溢水水位用フロートスイッチ５１が異常であり、「状態ＩＩＩ」であることを判定する。また、基準水位用フロートスイッチ５０及び溢水水位用フロートスイッチ５１が共にオンである場合には、マイコン６０は、両フロートスイッチ５０，５１が異常であり、「状態ＩＶ」であることを判定する。
【００４１】
【表１】
0004660417.tif 000002
【００４２】
上述したように、濯ぎ水の水位が基準水位よりも低くなったタイミングで両フロートスイッチ５０，５１の正常／異常が判定された後には、マイコン６０は、その後の所定時間ごとのタイミングで両フロートスイッチ５０，５１の検出結果を取り込んで、下の表２のテーブルに従って両フロートスイッチ５０，５１の検出結果から水位制御用の擬似的な検出結果を導いてから、濯ぎ水の水位判定を繰り返す（Ｓ３０４，Ｓ３０５，Ｓ３０６）。表２のテーブルにおいて、左欄には、所定時間ごとに逐次取り込まれる両フロートスイッチ５０，５１の検出結果が示されており、右欄には、状態Ｉ、状態ＩＩ、状態ＩＩＩ及び状態ＩＶの各状態における水位制御用の擬似的な検出結果が示されている。そして、マイコン６０は、濯ぎ水の水位に応じて、水位調節処理、水温調節処理、溢水・異常報知処理を実行する（Ｓ３０７）。以下に、状態Ｉ、状態ＩＩ、状態ＩＩＩ及び状態ＩＶの各状態ごとに、水位制御用の擬似的な検出結果の導出方法について説明し、併せてその擬似的な検出結果を反映した食器洗浄機１の処理について説明する。
【００４３】
【表２】
0004660417.tif 000003
【００４４】
［状態Ｉ］
上述した両フロートスイッチ５０，５１の正常／異常の判定において「状態Ｉ」であることが判定された場合には、両フロートスイッチ５０，５１は共に正常であるため、マイコン６０は、通常どおりに濯ぎ水の水位を判定する。即ち、マイコン６０は、両スイッチ５０，５１の実際の検出結果をそのまま水位制御用の擬似的な検出結果として利用する。よって、基準水位用フロートスイッチ５０及び溢水水位用フロートスイッチ５１が共にオフである場合には、濯ぎ水の水位が基準水位よりも低いことを判定する。また、基準水位用フロートスイッチ５０がオンであり、溢水水位用フロートスイッチ５１がオフである場合、また、基準水位用フロートスイッチ５０及び溢水水位用フロートスイッチ５１が共にオンである場合には濯ぎ水の水位が基準水位よりも高いことを判定する。
【００４５】
但し、基準水位用フロートスイッチ５０がオフであり、溢水水位用フロートスイッチ５１がオンである場合には、実際には濯ぎ水の水位が基準水位より高くなっているものの、基準水位用フロートスイッチ５０にオフからオンに変化しない異常が発生したため、基準水位用フロートスイッチ５０がオフとなっていることが予想される。そこで、マイコン６０は、基準水位用フロートスイッチ５０がオフであり、溢水水位用フロートスイッチ５１がオンである場合には、溢水水位用フロートスイッチ５１の検出結果であるオンを反映させ、水位制御用の擬似的な検出結果としてオンを導出する。マイコン６０は、このように水位制御用の擬似的な検出結果であるオンが導出されたことから、濯ぎ水の水位が基準水位よりも高いことを判定する。
【００４６】
「状態Ｉ」での水位調節処理においては、マイコン６０は、通常どおりに水位調節処理を行う。即ち、基準水位用フロートスイッチ５０及び溢水水位用フロートスイッチ５１が共にオフである場合には、給水バルブ５２を開いて濯ぎ水タンク２８に濯ぎ水を供給する。また、基準水位用フロートスイッチ５０がオフからオンに変化した場合には、給水バルブ５２を閉じて濯ぎ水の供給を停止する。また、基準水位用フロートスイッチ５０に異常が発生した場合の予備的な処理として、溢水水位用フロートスイッチ５１がオフからオンに変化した場合には、給水バルブ５２を閉じて濯ぎ水の供給を停止する。
【００４７】
「状態Ｉ」での水温調節処理においては、マイコン６０は、通常どおりに水温調節処理を行う。即ち、濯ぎ水タンク２８に取り付けられたサーミスタ３１の検出温度が設定温度よりも高い場合には、濯ぎ水ヒータ２９に通電せず、濯ぎ水の加熱を行わない。また、サーミスタ３１の検出温度が設定温度よりも低い場合でも、基準水位用フロートスイッチ５０がオフである場合には、濯ぎ水ヒータ２９に通電せず、濯ぎ水の加熱を行わない。一方、サーミスタ３１の検出温度が設定温度よりも低い場合で、基準水位用フロートスイッチ５０がオンである場合には、濯ぎ水ヒータ２９に通電して、濯ぎ水の加熱を行う。なお、既述のとおり、基準水位用フロートスイッチ５０の検出結果がオフ、溢水水位用フロートスイッチ５１がオンであることから水位制御用の擬似的な検出結果であるオンが導出された場合にも、同様に濯ぎ水ヒータ２９に通電して濯ぎ水の加熱を行う。よって、基準水位用フロートスイッチ５０にオフからオンに変化しない異常が発生した場合でも、食器洗浄機１の使用者は、普段どおりに食器洗浄機１を使用することができる。
【００４８】
「状態Ｉ」での溢水・異常報知処理においては、マイコン６０は、次に説明するように溢水・異常報知処理を行う。「状態Ｉ」での溢水・異常報知処理を、図４のフローチャートを参照して説明する。マイコン６０は、溢水水位用フロートスイッチ５１がオフからオンに変化し、オン状態が１０秒以上継続すると、基準水位用フロートスイッチ５０の検出結果を取り込む（Ｓ４０１）。そして、マイコン６０は、基準水位用フロートスイッチ５０がオフか否かを判定する（Ｓ４０２）。
【００４９】
ステップ４０２において、基準水位用フロートスイッチ５０がオフである場合には、基準水位用フロートスイッチ５０にオフからオンに変化しない異常があることが予想されるため、基準水位用フロートスイッチ５０の異常判定用のパラメータｍをカウントアップする（Ｓ４０３）。そして、このパラメータｍが所定数（本実施形態では３）以上であるか否かを判定する（Ｓ４０４）。ここで、パラメータｍが３以上である場合には、基準水位用フロートスイッチ５０の異常は恒常的であるため、基準水位用フロートスイッチ５０の異常を示すエラーコードを表示器５６に表示すると共に、ブザー５５を鳴音して食器洗浄機１の使用者に濯ぎ水の溢水を報知する（Ｓ４０５）。一方、パラメータｍが３より小さい場合には、処理を終了し、次に溢水水位用フロートスイッチ５１がオフからオンに変化するまで待機する。
【００５０】
ステップ４０２において、基準水位用フロートスイッチ５０がオフでない場合には、給水バルブ５２の異常が予想されるため、給水バルブ５２の異常判定用のパラメータｎをカウントアップする（Ｓ４０６）。そして、このパラメータｎが所定数（本実施形態では３）以上であるか否かを判定する（Ｓ４０７）。ここで、パラメータｎが３以上である場合には、給水バルブ５２の異常は恒常的であるため、給水バルブ５２の異常を示すエラーコードを表示器５６に表示すると共に、ブザー５５を鳴音して食器洗浄機１の使用者に濯ぎ水の溢水を報知する（Ｓ４０８）。一方、パラメータｎが３より小さい場合には、処理を終了し、次に溢水水位用フロートスイッチ５１がオフからオンに変化するまで待機する。
【００５１】
なお、上述した処理において、溢水水位用フロートスイッチ５１がオンである状態が１０秒以上継続した場合に処理を開始する理由は、溢水水位用フロートスイッチ５１にチャッタリングが生じて、溢水水位用フロートスイッチ５１がオン・オフを繰返すことにより、短時間で、パラメータｍが３回以上カウントアップされてしまうことを防止するためである。また、上述した処理において、基準水位用フロートスイッチ５０の恒常的な異常のみを検出するために、基準水位用フロートスイッチ５０がオフからオンに変化した場合には、パラメータｍを０にリセットすることで、自動的に異常を解除してもよい。
【００５２】
濯ぎ水が溢水する原因としては、基準水位用フロートスイッチ５０に異常があってオフからオンに変化しない場合と、給水バルブ５２などの給水に関わる部品に異常があって給水停止されない場合とがある。上述した溢水・異常報知処理では、基準水位用フロートスイッチ５０がオンである場合と、基準水位用フロートスイッチ５０がオフである場合とで、異常個所を特定可能な互いに異なるエラーコードが表示器５６に表示されるため、食器洗浄機１の使用者は、食器洗浄機１の異常個所が基準水位用フロートスイッチ５０又は給水に関わる部品のいずれであるかを判別することができる。よって、食器洗浄機１の使用者は、食器洗浄機１の異常に迅速に対処することができる。なお、上述した溢水・異常報知処理では、異常個所を特定可能な互いに異なるエラーコードを表示器５６に表示させたが、食器洗浄機１の異常個所を特定可能であれば他の方法で異常を報知してもよい。
【００５３】
仮に、基準水位用フロートスイッチ５０がオン又はオフのいずれの場合でも、同じように異常が報知されると、食器洗浄機１の使用者は、濯ぎ水の溢水の原因を特定するために、濯ぎ水タンク２８の蓋を開けて、濯ぎ水タンク２８の内部を目視で確認する必要がある。このような場合、基準水位用フロートスイッチ５０の異常であったにも拘らず、食器洗浄機１の使用者は給水バルブ５２の異常であると誤って判断してしまう。これに対して、上述したように、基準水位用フロートスイッチ５０がオンである場合とオフである場合とで、互いに異なる溢水報知処理を行うことにより、食器洗浄機１の使用者は、溢水報知処理から異常部位を特定できるため、異常部位を誤認することを防止することができる。また、稀に、基準水位用フロートスイッチ５０の浮き子がシャフトに引っ掛かって上昇しなくなることにより、基準水位用フロートスイッチ５０が一時的に異常となる場合がある。この現象は再現性が低く、振動などで解消されてしまうため、食器洗浄機１の使用者が濯ぎ水タンク２８の蓋を開けてみると、そのときには既に基準水位用フロートスイッチ５０の浮き子の引っ掛かりが解消されていることがある。これに対して、スイッチ異常が所定数おこった場合に異常報知を行うようにしたので、再現性の低い、一時的な異常では異常報知を行わず、使用者を煩わせることはない。
【００５４】
［状態ＩＩ］
上述した両フロートスイッチ５０，５１の正常／異常の判定において「状態ＩＩ」であることが判定された場合には、基準水位用フロートスイッチ５０にはオンからオフに変化しない異常があるため、マイコン６０は、溢水水位用フロートスイッチ５１が検出する検出水位を水位制御用の擬似的な検出結果として導出する。ここでは溢水水位用フロートスイッチ５１のみが正常であるため、マイコン６０は、基準水位用フロートスイッチ５０の検出結果に拘らず、溢水水位用フロートスイッチ５１の検出結果に基づいて濯ぎ水が基準水位よりも高いか又は低いかを判定する。即ち、溢水水位用フロートスイッチ５１がオフである場合には、水位制御用の擬似的な検出結果であるオフを導出して、濯ぎ水の水位が基準水位よりも低いことを判定する。また、溢水水位用フロートスイッチ５１がオンである場合には、濯ぎ水の水位が基準水位よりも高いことを判定する。なお、基準水位用フロートスイッチ５０がオフとなった場合には、基準水位用フロートスイッチ５０に発生したオンからオフに変化しない異常は解消されているため、上記の「状態Ｉ」に移行する。
【００５５】
「状態ＩＩ」での水位調節処理においては、マイコン６０は、通常とは異なる水位調節処理を行う。即ち、基準水位用フロートスイッチ５０がオンであり、溢水水位用フロートスイッチ５１がオフである場合には、水位制御用の擬似的な検出結果であるオフが導出されており、濯ぎ水の水位が基準水位よりも低いことが判定されているため、マイコン６０は、給水バルブ５２を開いて濯ぎ水タンク２８に濯ぎ水を供給する。また、基準水位用フロートスイッチ５０がオンであり、溢水水位用フロートスイッチ５１がオンである場合には、水位制御用の擬似的な検出結果であるオンが導出されているため、濯ぎ水の水位が基準水位よりも高いことが判定され、マイコン６０は、給水バルブ５２を閉じて濯ぎ水の供給を停止する。
【００５６】
「状態ＩＩ」での水温調節処理においては、マイコン６０は、通常とは異なる水温調節処理を行う。即ち、濯ぎ水タンク２８に取り付けられたサーミスタ３１の検出温度が設定温度よりも高い場合には、濯ぎ水ヒータ２９に通電せず、濯ぎ水の加熱を行わない。また、サーミスタ３１の検出温度が設定温度よりも低い場合であって、基準水位用フロートスイッチ５０がオンであり、溢水水位用フロートスイッチ５１がオフである場合には、水位制御用の擬似的な検出結果であるオフが導出されており、濯ぎ水の水位が基準水位よりも低いことが判定されているため、マイコン６０は、濯ぎ水ヒータ２９に通電せず、濯ぎ水の加熱を行わない。一方、サーミスタ３１の検出温度が設定温度よりも低い場合であって、基準水位用フロートスイッチ５０がオンであり、溢水水位用フロートスイッチ５１がオンである場合には、水位制御用の擬似的な検出結果であるオンが導出されているため、濯ぎ水の水位が基準水位よりも高いことが判定され、マイコン６０は、濯ぎ水ヒータ２９に通電して、濯ぎ水の加熱を行う。
【００５７】
「状態ＩＩ」での溢水・異常報知処理においては、溢水水位用フロートスイッチ５１の検出結果がオフからオンに変化しても、マイコン６０はブザー５５を鳴音せず、濯ぎ水の水位が溢水水位より高くなったことを報知しない。状態ＩＩでは、溢水水位用フロートスイッチ５１の検出結果を利用して濯ぎ水の水位を調節するため、食器洗浄機１が食器類の洗浄を実行する際には、濯ぎ水の水位が溢水水位より頻繁に高くなる。よって、状態ＩＩにおいて、溢水水位用フロートスイッチ５１がオフからオンに変化するごとに溢水報知処理を行うと、ブザー５５が頻繁に鳴音することとなり、食器洗浄機１の使用者は違和感を持ってしまう。そこで、上述したように、状態ＩＩでは溢水報知処理を禁止している。
【００５８】
［状態ＩＩＩ］
上述した両フロートスイッチ５０，５１の正常／異常の判定において「状態ＩＩＩ」であることが判定された場合には、溢水水位用フロートスイッチ５１にはオンからオフに変化しない異常があるため、マイコン６０は、溢水水位用フロートスイッチ５１の検出結果を利用しない。一方、基準水位用フロートスイッチ５０は正常であるため、マイコン６０は、基準水位用フロートスイッチ５０の検出結果に基づいて濯ぎ水の水位を判定する。即ち、マイコン６０は、基準水位用フロートスイッチ５０の実際の検出結果をそのまま水位制御用の擬似的な検出結果として利用する。よって、基準水位用フロートスイッチ５０がオフであり、溢水水位用フロートスイッチ５１がオンである場合には、濯ぎ水の水位が基準水位よりも低いことを判定する。また、基準水位用フロートスイッチ５０がオンであり、溢水水位用フロートスイッチ５１がオンである場合には、濯ぎ水の水位が基準水位よりも高いことを判定する。なお、溢水水位用フロートスイッチ５１のオフとなった場合には、溢水水位用フロートスイッチ５１に発生したオンからオフに変化しない異常は解消されているため、上記の「状態Ｉ」に移行する。
【００５９】
「状態ＩＩＩ」での水位調節処理においては、マイコン６０は、ほぼ通常どおりの水位調節処理を行う。即ち、基準水位用フロートスイッチ５０がオフであり、溢水水位用フロートスイッチ５１がオンである場合には、給水バルブ５２を開いて濯ぎ水タンク２８に濯ぎ水を供給する。また、基準水位用フロートスイッチ５０がオフからオンに変化した場合には、給水バルブ５２を閉じて濯ぎ水の供給を停止する。
【００６０】
「状態ＩＩＩ」での水温調節処理においては、マイコン６０は、ほぼ通常どおりの水温調節処理を行う。即ち、濯ぎ水タンク２８に取り付けられたサーミスタ３１の検出温度が設定温度よりも高い場合には、濯ぎ水ヒータ２９に通電せず、濯ぎ水の加熱を行わない。また、サーミスタ３１の検出温度が設定温度よりも低い場合でも、基準水位用フロートスイッチ５０がオフである場合には、濯ぎ水ヒータ２９に通電せず、濯ぎ水の加熱を行わない。一方、サーミスタ３１の検出温度が設定温度よりも低い場合で、基準水位用フロートスイッチ５０がオンである場合には、濯ぎ水ヒータ２９に通電して、濯ぎ水の加熱を行う。
【００６１】
「状態ＩＩＩ」での溢水・異常報知処理においては、溢水水位用フロートスイッチ５１がオンであってもマイコン６０はブザー５５を鳴音せず、濯ぎ水の水位が溢水水位より高くなったことを報知しない。このように状態ＩＩＩで溢水報知処理を禁止するのは、溢水水位用フロートスイッチ５１が異常であるため、溢水報知処理を適切に行えないからである。
【００６２】
［状態ＩＶ］
上述した両フロートスイッチ５０，５１の正常／異常の判定において「状態ＩＶ」であることが判定された場合には、両フロートスイッチ５０，５１にはオンからオフに変化しない異常があるため、マイコン６０は、両フロートスイッチ５０，５１の検出結果を利用しない。即ち、マイコン６０は、両フロートスイッチ５０，５１のそれぞれの検出結果にかかわらず水位制御用の擬似的な検出結果であるオフを導出し、濯ぎ水の水位が基準水位よりも低いことを判定する。
【００６３】
「状態ＩＶ」での水位調節処理においては、マイコン６０は、通常とは異なる水位調節処理を行う。即ち、両フロートスイッチ５０，５１の検出結果にかかわらず水位制御用の擬似的な検出結果であるオフが導出され、濯ぎ水の水位が基準水位よりも低いことが判定されるため、マイコン６０は、給水バルブ５２を開いて濯ぎ水タンク２８に濯ぎ水を供給する。なお、後述するように食器洗浄機１の動作は直ぐに停止されるため、濯ぎ水タンク２８に濯ぎ水が供給されても問題ない。
【００６４】
「状態ＩＶ」での水温調節処理においては、マイコン６０は、通常とは異なる水温調節処理を行う。即ち、濯ぎ水タンク２８に取り付けられたサーミスタ３１の検出温度が設定温度よりも高い場合には、濯ぎ水ヒータ２９に通電せず、濯ぎ水の加熱を行わない。また、サーミスタ３１の検出温度が設定温度よりも低い場合でも、水位制御用の擬似的な検出結果であるオフが導出されているため、濯ぎ水ヒータ２９に通電せず、濯ぎ水の加熱を行わない。これにより、濯ぎ水ヒータ２９の空焚きが防止されている。
【００６５】
「状態ＩＶ」での溢水・異常報知処理においては、マイコン６０は、通常とは異なる異常報知処理を行う。既述のとおり、マイコン６０の溢水・異常報知処理は、給水バルブ５２が開けられた状態で、基準水位用フロートスイッチ５０のオフが所定時間を超えて継続した場合には、食器洗浄機１に給水異常が発生したことを判定してブザー５５を鳴音させると共に、食器洗浄機１の動作を停止させるように設定されている。よって、上述したように、マイコン６０が、水位制御用の擬似的な検出結果であるオフを導出し続けた場合には、上記の給水異常の判定条件が満たされるため、マイコン６０はブザー５５を鳴音させると共に食器洗浄機１の動作を停止させる。
【００６６】
なお、上述した実施形態では、濯ぎ水タンク２８に基準水位用フロートスイッチ５０及び溢水水位用フロートスイッチ５１を設けて濯ぎ水の水位を判定したが、他の実施形態では、洗浄水タンク１５に基準水位用フロートスイッチ及び溢水水位用フロートスイッチを設けて洗浄水の水位を判定し、洗浄水に関して水位調節処理、水温調節処理、溢水・異常報知処理などを行ってもよい。
【００６７】
また、上述した実施形態では、濯ぎ水供給ポンプ３４を所定時間以上に渡って駆動したタイミングで、第１判定機能により両フロートスイッチ５０，５１の検出状態を判定し、給水バルブ５２の開放により給水された後のタイミングで、第２判定機能により両フロートスイッチ５０，５１の検出状態を判定している。但し、特開平５−２２００８３号公報のように食器洗浄機が構成された場合には、排水手段である排水ポンプが所定時間以上に渡って駆動したタイミングで、第１判定機能により両フロートスイッチの検出状態を判定し、給水バルブの開放により給水された後のタイミングで、第２判定機能により両フロートスイッチの検出状態を判定してもよい。
【００６８】
また、上述した実施形態では、上記の表の左欄に示される水位制御用の検出結果とは別に、同表の右欄に示されるフロートスイッチ５０，５１の擬似的な検出結果を導出した。但し、他の実施形態では、同表の左欄に示されるフロートスイッチ５０，５１の検出結果を直接変更することで、フロートスイッチ５０，５１の検出結果を同表の右欄に示される状態としてもよい。
【図面の簡単な説明】
【００６９】
【図１】本発明の実施形態に係る食器洗浄機を示す断面図である。
【図２】食器洗浄機のブロック図である。
【図３】食器洗浄機による水位判定処理を示すフローチャートである。
【図４】食器洗浄機による溢水・異常報知処理のフローチャートである。
【符号の説明】
【００７０】
１…食器洗浄機、２…本体ケース、３…機械室、６…電装ボックス、７…洗浄室、８…食器ラック、９，１２…洗浄ノズル、１１，１３…濯ぎノズル、１４…フィルタ、１５…洗浄水タンク、１６…洗浄水ヒータ、１７…サーミスタ、１８…フィルタ、１９…落込部、２０…排水管、２１…オーバーフロー管、２２…洗浄水吸込管、２３…洗浄水供給ポンプ、２４，２５，２６…洗浄水吐出管、２７…給湯管、２８…濯ぎ水タンク、２９…濯ぎ水ヒータ、３１…サーミスタ、３２…オーバーフロー管、３３…濯ぎ水吸込管、３４…濯ぎ水供給ポンプ、３６，３７，３８…濯ぎ水吐出管、３９…洗剤タンク、４１…洗剤吸込管、４２…洗剤供給ポンプ、４３…洗剤吐出管、５０…基準水位用フロートスイッチ、５１…溢水水位用フロートスイッチ、５２…給水バルブ、５５…ブザー、５６…表示器、６０…マイクロコンピュータ、６１…水位判定機能、６２…水位調節機能、６３…水温調節機能、６４…溢水・異常報知機能、Ｐ…食器類。
【図１】
0004660417.tif 000004
【図２】
0004660417.tif 000005
【図３】
0004660417.tif 000006
【図４】
0004660417.tif 000007